(57)【要約】【課題】送信元のクロック信号と別個に生成された基準クロック信号とのそれぞれの周期が互いに異なっても基準クロック信号に基づく処理による問題の発生を防ぐことができる同期処理装置を提供する。【解決手段】受信部１１が、送信されたフレームを受信する。記憶部１３には、受信したフレームに含まれているパケットが記憶される。伝送フレーム生成部１４が、基準クロック信号に基づくタイミングで、記憶されているパケットに基づく伝送フレームを生成する。伝送フレームには変調手段によって変調処理が施される。基準クロック信号は、フレームの送信元のクロック信号とは別個に生成され、変調処理におけるクロック信号と同期している。伝送フレーム生成部１４は、フレームを受信したタイミングと伝送フレームを生成するタイミングとの差異に基づいて、ヌルタイプのＴＬＶパケットの追加または消去を行い伝送フレームを生成する。【選択図】      図８
2018137625.tif 000002
【特許請求の範囲】
【請求項１】
送信されたフレームを受信する受信手段と、
前記受信手段が受信したフレームに含まれているパケットが記憶される記憶手段と、
基準となるクロック信号である基準クロック信号に基づくタイミングで、前記記憶手段に記憶されているパケットに基づく伝送フレームを生成する伝送フレーム生成手段とを備え、
前記伝送フレーム生成手段が生成した前記伝送フレームには変調手段によって変調処理が施され、
前記基準クロック信号は、前記受信手段が受信したフレームの送信元で行われた生成処理および送信処理におけるクロック信号とは別個に生成された信号であって、前記伝送フレーム生成手段が生成した前記伝送フレームに施される前記変調処理におけるクロック信号と同期した信号であり、
前記伝送フレーム生成手段は、
前記受信手段がフレームを受信したタイミングと前記伝送フレームを生成するタイミングとの差異に基づいて、前記記憶手段に記憶されているパケットにおいて、ヌルタイプのＴＬＶパケットの追加または消去を行い、前記伝送フレームを生成する
ことを特徴とする同期処理装置。
【請求項２】
前記伝送フレーム生成手段は、前記記憶手段において、伝送フレームを構成するためのパケットが不足した場合に、前記不足に応じた長さのヌルタイプのＴＬＶパケットを生成して、前記ＴＬＶパケットを含む伝送フレームを生成する
請求項１に記載の同期処理装置。
【請求項３】
前記伝送フレーム生成手段は、前記記憶手段において、伝送フレームを構成するためのパケットに剰余が生じた場合に、前記剰余に応じた長さのヌルタイプのＴＬＶパケットを消去して、残部のＴＬＶパケットを含む伝送フレームを生成する
請求項１または請求項２に記載の同期処理装置。
【請求項４】
前記伝送フレーム生成手段は、前記記憶手段にヌルタイプのＴＬＶパケットが記憶されている場合に、前記受信手段がフレームを受信したタイミングと前記伝送フレームを生成するタイミングとの差異に基づいて、前記追加または前記消去に代えて、前記ヌルタイプのＴＬＶパケットの長さを変更する
請求項１に記載の同期処理装置。
【請求項５】
前記伝送フレーム生成手段は、前記記憶手段において、伝送フレームを構成するためのパケットが不足した場合に、前記ヌルタイプのＴＬＶパケットの長さを前記不足を充足する長さに変更して、前記ＴＬＶパケットを含む伝送フレームを生成する
請求項４に記載の同期処理装置。
【請求項６】
前記伝送フレーム生成手段は、前記記憶手段において、伝送フレームを構成するためのパケットに剰余が生じた場合に、前記ヌルタイプのＴＬＶパケットの長さを前記剰余を解消する長さに変更して、前記ＴＬＶパケットを含む伝送フレームを生成する
請求項４または請求項５に記載の同期処理装置。
【請求項７】
請求項１から請求項６のうちいずれかに記載の同期処理装置と、
前記変調手段を含む信号処理装置とを備えた
ことを特徴とする信号処理システム。
【請求項８】
送信されたフレームを受信する受信ステップと、
基準となるクロック信号である基準クロック信号に基づくタイミングで、前記受信ステップで受信したフレームに含まれているパケットが記憶される記憶手段に記憶されているパケットに基づく伝送フレームを生成する伝送フレーム生成ステップとを含み、
前記伝送フレーム生成ステップで生成した前記伝送フレームには変調手段によって変調処理が施され、
前記基準クロック信号は、前記受信ステップで受信したフレームの送信元で行われた生成処理および送信処理におけるクロック信号とは別個に生成された信号であって、前記伝送フレーム生成ステップで生成した前記伝送フレームに施される変調処理におけるクロック信号と同期した信号であり、
前記伝送フレーム生成ステップで、
前記受信ステップでフレームを受信したタイミングと前記伝送フレームを生成するタイミングとの差異に基づいて、前記記憶手段に記憶されているパケットにおいて、ヌルタイプのＴＬＶパケットの追加または消去を行い、前記伝送フレームを生成する
ことを特徴とする同期処理方法。
【請求項９】
コンピュータに、
送信されたフレームを受信する受信処理と、
基準となるクロック信号である基準クロック信号に基づくタイミングで、前記受信処理で受信したフレームに含まれているパケットが記憶される記憶手段に記憶されているパケットに基づく伝送フレームを生成する伝送フレーム生成処理とを実行させ、
前記伝送フレーム生成処理で生成された前記伝送フレームには変調手段によって変調処理が施され、
前記基準クロック信号は、前記受信処理で受信されたフレームの送信元で行われた生成処理および送信処理におけるクロック信号とは別個に生成された信号であって、前記伝送フレーム生成処理で生成された前記伝送フレームに施される前記変調処理におけるクロック信号と同期した信号であり、
前記伝送フレーム生成処理で、
前記受信処理でフレームを受信したタイミングと前記伝送フレームを生成するタイミングとの差異に基づいて、前記記憶手段に記憶されているパケットにおいて、ヌルタイプのＴＬＶパケットの追加または消去を行い、前記伝送フレームを生成させる
ための同期処理用プログラム。
【発明の詳細な説明】
【技術分野】
【０００１】
本発明は、フレームを送受信する同期処理装置、信号処理システム、同期処理方法、および同期処理用プログラムに関する。
【背景技術】
【０００２】
衛星放送では、各放送事業者（委託局ともいう）の信号処理装置から送信された放送用のデータに基づく信号に、受託局（アップリンク局ともいう）の信号処理装置による処理が施されて放送用衛星に送信される。各委託局の各信号処理装置と、受託局の信号処理装置とは、それぞれがクロック信号に基づくタイミングで動作している。
【０００３】
したがって、受託局の信号処理装置は、各委託局の信号処理装置から送信されたデータを通信回線を介して受信し、受託局において基準とするクロック信号である基準クロック信号に基づくタイミングで当該データに送信用の処理を施し、放送用衛星に送信するための信号を生成する。
【０００４】
特許文献１には、所定のスロットにＴＬＶ（Ｔｙｐｅ  Ｌｅｎｇｔｈ  Ｖａｌｕｅ）パケットを格納した伝送主信号を生成して、送信する送信システムが記載されている。また、特許文献１には、送信システムにおける伝送スロット化装置が、伝送クロックに基づいて処理を行うことが記載されている。
【０００５】
特許文献２には、送信側が基準クロックをＮＴＰ（Ｎｅｔｗｏｒｋ  Ｔｉｍｅ  Ｐｒｏｔｏｃｏｌ）サーバが送信したデータに同期させるとともにクロックを示す情報を送信し、受信側が当該情報に基づいてクロック信号を生成する方法が記載されている。
【０００６】
特許文献３には、送信側と受信側とが、放送用衛星から受信したデータに基づきクロック信号を再生するシステムが記載されている。
【先行技術文献】
【特許文献】
【０００７】
【特許文献１】特開２０１６−１７４２９９号公報
【特許文献２】特開２０１６−１９５３８０号公報
【特許文献３】特許第５９８８５２９号公報
【発明の概要】
【発明が解決しようとする課題】
【０００８】
各委託局の信号処理装置において用いられているそれぞれのクロック信号の周期と、受託局の信号処理装置において用いられている基準クロック信号の周期とに差異が生じうる。すると、受託局において送信すべき信号が一部消失等したりしうる。そして、受託局において送信すべき信号が一部消失等したりしたことによって、当該信号に基づく映像や音声が乱れうるという問題が生じる。
【０００９】
したがって、特許文献１に記載されたシステムでは映像や音声が乱れうるという問題がある。また、特許文献２に記載されたシステムは、基準クロック情報の送受信用の通信回線を用意しなければならず、多額の費用を要するという問題がある。特許文献３に記載されたシステムでは、各放送事業者の信号処理装置が放送衛星によって送信されたデータを受信しなければならず、やはり、多額の費用を要するという問題がある。
【００１０】
そこで、本発明は、送信元の処理におけるクロック信号と別個に生成された基準クロック信号とのそれぞれの周期が互いに異なった場合であっても基準クロック信号に基づく処理による問題の発生を防ぐことができる同期処理装置、信号処理システム、同期処理方法、および同期処理用プログラムを提供することを目的とする。
【課題を解決するための手段】
【００１１】
本発明による同期処理装置は、送信されたフレームを受信する受信手段と、前記受信手段が受信したフレームに含まれているパケットが記憶される記憶手段と、基準となるクロック信号である基準クロック信号に基づくタイミングで、前記記憶手段に記憶されているパケットに基づく伝送フレームを生成する伝送フレーム生成手段とを備え、前記伝送フレーム生成手段が生成した前記伝送フレームには変調手段によって変調処理が施され、前記基準クロック信号は、前記受信手段が受信したフレームの送信元で行われた生成処理および送信処理におけるクロック信号とは別個に生成された信号であって、前記伝送フレーム生成手段が生成した前記伝送フレームに施される前記変調処理におけるクロック信号と同期した信号であり、前記伝送フレーム生成手段は、前記受信手段がフレームを受信したタイミングと前記伝送フレームを生成するタイミングとの差異に基づいて、前記記憶手段に記憶されているパケットにおいて、ヌルタイプのＴＬＶパケットの追加または消去を行い、前記伝送フレームを生成することを特徴とする。
【００１２】
本発明による信号処理システムは、いずれかの態様の同期処理装置と、前記変調手段を含む信号処理装置とを備えたことを特徴とする。
【００１３】
本発明による同期処理方法は、送信されたフレームを受信する受信ステップと、基準となるクロック信号である基準クロック信号に基づくタイミングで、前記受信ステップで受信したフレームに含まれているパケットが記憶される記憶手段に記憶されているパケットに基づく伝送フレームを生成する伝送フレーム生成ステップとを含み、前記伝送フレーム生成ステップで生成した前記伝送フレームには変調手段によって変調処理が施され、前記基準クロック信号は、前記受信ステップで受信したフレームの送信元で行われた生成処理および送信処理におけるクロック信号とは別個に生成された信号であって、前記伝送フレーム生成ステップで生成した前記伝送フレームに施される変調処理におけるクロック信号と同期した信号であり、前記伝送フレーム生成ステップで、前記受信ステップでフレームを受信したタイミングと前記伝送フレームを生成するタイミングとの差異に基づいて、前記記憶手段に記憶されているパケットにおいて、ヌルタイプのＴＬＶパケットの追加または消去を行い、前記伝送フレームを生成することを特徴とする。
【００１４】
本発明による同期処理用プログラムは、コンピュータに、送信されたフレームを受信する受信処理と、基準となるクロック信号である基準クロック信号に基づくタイミングで、前記受信処理で受信したフレームに含まれているパケットが記憶される記憶手段に記憶されているパケットに基づく伝送フレームを生成する伝送フレーム生成処理とを実行させ、前記伝送フレーム生成処理で生成された前記伝送フレームには変調手段によって変調処理が施され、前記基準クロック信号は、前記受信処理で受信されたフレームの送信元で行われた生成処理および送信処理におけるクロック信号とは別個に生成された信号であって、前記伝送フレーム生成処理で生成された前記伝送フレームに施される前記変調処理におけるクロック信号と同期した信号であり、前記伝送フレーム生成処理で、前記受信処理でフレームを受信したタイミングと前記伝送フレームを生成するタイミングとの差異に基づいて、前記記憶手段に記憶されているパケットにおいて、ヌルタイプのＴＬＶパケットの追加または消去を行い、前記伝送フレームを生成させることを特徴とする。
【発明の効果】
【００１５】
本発明によれば、送信元の処理におけるクロック信号と別個に生成された基準クロック信号とのそれぞれの周期が互いに異なった場合であっても基準クロック信号に基づく処理による問題の発生を防ぐことができる。
【図面の簡単な説明】
【００１６】
【図１】第１の実施形態の信号処理システムの構成例を示すブロック図である。
【図２】送信側信号処理装置の構成例を示すブロック図である。
【図３】同期処理装置の構成を示すブロック図である。
【図４】受信側信号処理装置の構成例を示すブロック図である。
【図５】送信側信号処理装置の動作を示すフローチャートである。
【図６】同期処理装置の動作を示すフローチャートである。
【図７】受信側信号処理装置の動作を示すフローチャートである。
【図８】第２の実施形態の同期処理装置の構成例を示すブロック図である。
【発明を実施するための形態】
【００１７】
実施形態１．
第１の実施形態について、図面を参照して説明する。図１は、第１の実施形態の信号処理システム１００の構成例を示すブロック図である。
【００１８】
図１に示すように、第１の実施形態の信号処理システム１００は、同期処理装置３１０と、受信側信号処理装置３２０とを含む。同期処理装置３１０と受信側信号処理装置３２０とは、互いに接続されている。また、同期処理装置３１０と受信側信号処理装置３２０とは、基準クロック信号提供装置３３０と互いに接続されている。そして、同期処理装置３１０と受信側信号処理装置３２０と基準クロック信号提供装置３３０とは、受託局３００に設置されている。
【００１９】
同期処理装置３１０には、例えば、通信回線を介して送信側信号処理装置２１０が接続されている。また、送信側信号処理装置２１０には、クロック信号提供装置２２０が接続されている。そして、送信側信号処理装置２１０とクロック信号提供装置２２０とは、委託局２００に設置されている。
【００２０】
委託局２００は、例えば、放送事業者の局舎である。受託局３００は、例えば、放送用衛星に信号を送信する事業者の局舎である。
【００２１】
送信側信号処理装置２１０には、例えば、映像や音声に応じたデータが入力される。クロック信号提供装置２２０には、例えば、１０ＭＨｚ等の周波数の信号を生成する発振器が設けられている。そして、クロック信号提供装置２２０は、当該発振器が生成した信号に基づいて、３３．７５６１ＭＨｚ等の周波数のクロック信号を生成して、送信側信号処理装置２１０に提供する。
【００２２】
送信側信号処理装置２１０は、入力されたデータに基づくＩＰ（Ｉｎｔｅｒｎｅｔ  Ｐｒｏｔｏｃｏｌ）パケットを生成して送信する。送信側信号処理装置２１０が送信した信号は通信回線を介して同期処理装置３１０によって受信される。
【００２３】
基準クロック信号提供装置３３０には、例えば、５ＭＨｚ等の周波数の信号を生成する発振器が設けられている。そして、基準クロック信号提供装置３３０は、当該発振器が生成した信号に基づいて、３３．７５６１ＭＨｚ等の周波数の基準クロック信号を生成して、同期処理装置３１０および受信側信号処理装置３２０に提供する。
【００２４】
なお、基準クロック信号提供装置３３０に設けられている発振器と、クロック信号提供装置２２０に設けられている発振器とは、互いに同期するための処理が行われないとする。したがって、基準クロック信号提供装置３３０が提供する基準クロック信号と、クロック信号提供装置２２０が提供するクロック信号とは、互いに別個に生成されている。
【００２５】
また、図１に示すように、本例では、説明の簡単のため、一の受託局３００に設置された一の同期処理装置３１０に、一の委託局２００に設置された一の送信側信号処理装置２１０が接続されているとして説明する。しかし、受託局３００に設置された同期処理装置３１０には、複数の委託局のそれぞれに設置された複数の送信側信号処理装置が接続されていてもよい。
【００２６】
同期処理装置３１０は、送信側信号処理装置２１０によって送信されたＩＰパケットを受信する。そして、同期処理装置３１０は、擬似同期化処理をＩＰパケットに施す。なお、擬似同期化処理とは、受信側信号処理装置３２０による基準クロック信号に基づく動作に対応可能にするための処理である。
【００２７】
そして、受信側信号処理装置３２０は、同期処理装置３１０によって擬似同期化処理が施されたＩＰパケットに基づいて送信用信号を生成する。
【００２８】
生成された送信用信号は、送信設備３４０によって放送用衛星に向けて送信される。そして、送信用信号を受信した放送用衛星が、送信用信号に基づく放送信号を送信し、当該放送信号を受信した受信機が、当該放送信号に基づく映像や音声を再生したり、データ放送用データや番組配列情報、電子番組ガイド等を出力したりする。なお、送信設備３４０は、例えば、受託局３００の局舎外に設置された衛星通信用アンテナを含む。
【００２９】
図２は、送信側信号処理装置２１０の構成例を示すブロック図である。図２に示すように、送信側信号処理装置２１０は、ＭＭＴ（ＭＰＥＧ（Ｍｏｖｉｎｇ  Ｐｉｃｔｕｒｅ  Ｅｘｐｅｒｔｓ  Ｇｒｏｕｐ）  Ｍｅｄｉａ  Ｔｒａｎｓｐｏｒｔ）多重部２１１と、ＴＬＶ多重部２１２とを含む。
【００３０】
ＭＭＴ多重部２１１には、受信機によって再生される映像や音声に応じたデータである再生用データと、データ放送用データと、番組配列情報および電子番組ガイド（ＳＩ（Ｓｅｒｖｉｃｅ  Ｉｎｆｏｒｍａｔｉｏｎ）／ＥＰＧ（Ｅｌｅｃｔｒｏｎｉｃ  Ｐｒｏｇｒａｍ  Ｇｕｉｄｅ））用データとが入力される。
【００３１】
そして、ＭＭＴ多重部２１１は、入力された各データを互いに多重して、各データを含む、ＭＭＴ形式のＩＰパケットであるＭＭＴパケットを生成する。
【００３２】
ＴＬＶ多重部２１２には、ＭＭＴ多重部２１１が生成したＭＭＴパケットと、時刻を示すデータを含むＮＴＰパケットとが入力される。なお、ＮＴＰパケットは、例えば、外部のＮＴＰサーバから受信される。ＴＬＶ多重部２１２は、入力されたＭＭＴパケットとＮＴＰパケットとを互いに多重して、当該パケットを含む形式のＩＰパケットであるＴＬＶパケットを生成する。
【００３３】
そして、ＴＬＶ多重部２１２は、生成したＴＬＶパケットによって構成されたフレームと、当該フレーム内の各スロットのストリームの種別や変調方式の情報を示すＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｌａｔｉｏｎ  Ｃｏｎｔｒｏｌ）信号とを同期処理装置３１０に送信する。
【００３４】
図３は、同期処理装置３１０の構成を示すブロック図である。図３に示すように、同期処理装置３１０は、受信部（受信手段）３１１、分配部３１２、バッファ部（記憶手段）３１３−１〜ｎ、多重化部（伝送フレーム生成手段）３１４、および送信部３１５を含む。
【００３５】
受信部３１１は、送信側信号処理装置２１０が送信したフレームおよびＴＭＣＣ信号を通信回線を介して受信する。受信部３１１は、受信したフレームおよびＴＭＣＣ信号を分配部３１２に入力する。
【００３６】
分配部３１２は、入力されたＴＭＣＣ信号に応じて、入力されたフレームに含まれているＴＬＶパケットをバッファ部３１３−１〜ｎに入力する。
【００３７】
バッファ部３１３−１〜ｎには、入力されたＴＬＶパケットが記憶される。なお、バッファ部３１３−１〜ｎは、受信側信号処理装置３２０がＴＬＶパケットに施す変調の方式に応じて用意される。具体的には、例えば、受信側信号処理装置３２０が、ＱＰＳＫ（Ｑｕａｄｒａｔｕｒｅ  Ｐｈａｓｅ−Ｓｈｉｆｔ  Ｋｅｙｉｎｇ）方式の変調を施すＴＬＶパケットが記憶されるバッファや、８ＰＳＫ（Ｐｈａｓｅ−Ｓｈｉｆｔ  Ｋｅｙｉｎｇ）方式の変調を施すＴＬＶパケットが記憶されるバッファ、１６ＰＳＫ方式の変調を施すＴＬＶパケットが記憶されるバッファが用意されている。
【００３８】
多重化部３１４は、バッファ部３１３−１〜ｎに記憶されているＴＬＶパケットを読み出して、読み出したＴＬＶパケットを含む伝送フレームを生成する。
【００３９】
送信部３１５は、多重化部３１４が生成した伝送フレームを受信側信号処理装置３２０に送信する。
【００４０】
なお、受信部３１１および送信部３１５は、例えば、通信モジュールによって実現される。分配部３１２および多重化部３１４は、例えば、プログラム制御に従って処理を実行するＣＰＵ（Ｃｅｎｔｒａｌ  Ｐｒｏｃｅｓｓｉｎｇ  Ｕｎｉｔ）や、複数の回路によって実現される。バッファ部３１３−１〜ｎは、例えば、メモリ等の記憶手段によって実現される。
【００４１】
図４は、受信側信号処理装置３２０の構成例を示すブロック図である。
【００４２】
図４に示すように、受信側信号処理装置３２０は、受信部３２１、変調部３２２、および送信部３２３を含む。
【００４３】
受信部３２１は、同期処理装置３１０の送信部３１５が送信した伝送フレームを受信する。
【００４４】
変調部３２２は、受信部３２１が受信した伝送フレームに、所定の変調方式の変調処理を施し、変調処理後の信号である送信用信号を生成する。
【００４５】
送信部３２３は、変調部３２２が生成した送信用信号を送信する。
【００４６】
次に、第１の実施形態の動作について説明する。図５は、送信側信号処理装置２１０の動作を示すフローチャートである。
【００４７】
なお、送信側信号処理装置２１０におけるＭＭＴ多重部２１１およびＴＬＶ多重部２１２は、クロック信号提供装置２２０が提供したクロック信号に基づくタイミングで、各処理を行う。
【００４８】
ＭＭＴ多重部２１１は、再生用データと、データ放送用データと、番組配列情報および電子番組ガイド用データとを互いに多重して、各データを含む、ＭＭＴ形式のＩＰパケットであるＭＭＴパケットを生成する（ステップＳ１０１）。
【００４９】
ＴＬＶ多重部２１２は、ステップＳ１０１の処理でＭＭＴ多重部２１１によって生成されたＭＭＴパケットとＮＴＰパケットとを互いに多重して、当該パケットを含む形式のＩＰパケットであるＴＬＶパケットを生成する（ステップＳ１０２）。
【００５０】
そして、ＴＬＶ多重部２１２は、生成したＴＬＶパケットによってフレームを構成し、構成した当該フレームと、当該フレーム内の各スロットのストリームの種別や変調方式の情報を示すＴＭＣＣ信号とを同期処理装置３１０に送信する（ステップＳ１０３）。
【００５１】
図６は、同期処理装置３１０による擬似同期化処理の動作を示すフローチャートである。なお、同期処理装置３１０は、基準クロック信号提供装置３３０が提供した基準クロック信号に基づくタイミングで、各処理を行う。
【００５２】
図６に示すように、受信部３１１は、送信側信号処理装置２１０が送信したフレームおよびＴＭＣＣ信号を通信回線を介して受信する（ステップＳ２０１）。受信部３１１は、受信したフレームおよびＴＭＣＣ信号を分配部３１２に入力する。
【００５３】
分配部３１２は、入力されたＴＭＣＣ信号に応じて、入力されたフレームに含まれているＴＬＶパケットをバッファ部３１３−１〜ｎに入力する（ステップＳ２０２）。バッファ部３１３−１〜ｎに入力されたＴＬＶバケットは、当該バッファ部３１３−１〜ｎに記憶される。なお、分配部３１２は、例えば、ＴＭＣＣ信号によって示されている、フレーム内の各スロットのストリームの変調方式の情報に応じて、入力されたフレームに含まれているＴＬＶパケットをバッファ部３１３−１〜ｎのうち、対応する変調方式に応じたバッファに入力する。具体的には、分配部３１２は、例えば、ＴＭＣＣ信号に応じて、ＮＴＰパケットに基づくＴＬＶパケットを、電波伝搬状況が悪化してもより確実にデータを送信可能な変調方式であるＱＰＳＫ等の多値数がより少ない変調方式に応じたバッファに入力する。また、分配部３１２は、例えば、ＴＭＣＣ信号に応じて、ＭＭＴパケットに基づくＴＬＶパケットを、伝送効率がより高い変調方式である１６ＰＳＫ等の多値数がより多い変調方式に応じたバッファに入力する。
【００５４】
多重化部３１４は、バッファ部３１３−１〜ｎに記憶されているＴＬＶパケットを含む伝送フレームを生成する（ステップＳ２０３）。本例では、伝送フレームは、１２０スロットから成るとする。そして、多重化部３１４は、例えば、所定のパケットが所定のスロットに格納されるように、伝送フレームを構成する。
【００５５】
ここで、伝送フレームを構成するためのパケットが対応するバッファ部３１３−１〜ｎに記憶されていない場合に、つまり、伝送フレームを構成するためのパケットが不足した場合に、多重化部３１４は、不足に応じた長さのヌルタイプのＴＬＶパケット（ＴＬＶ  Ｎｕｌｌ）を生成して、当該パケットを含ませた伝送フレームを生成する。多重化部３１４は、バッファ部３１３−１〜ｎにヌルタイプのＴＬＶパケットが記憶されている場合に、当該ヌルタイプのＴＬＶパケットの長さを、当該不足を充足する長さに変更するように構成されていてもよい。
【００５６】
なお、伝送フレームを構成するためのパケットの不足は、委託局２００のクロック信号提供装置２２０が提供したクロック信号の周波数が、受託局３００の基準クロック信号提供装置３３０が提供した基準クロック信号の周波数よりも低くなったときに生じうる。
【００５７】
換言すれば、伝送フレームを構成するためのパケットの不足は、委託局２００のクロック信号提供装置２２０が提供したクロック信号の周期が、受託局３００の基準クロック信号提供装置３３０が提供した基準クロック信号の周期よりも長くなったときに生じうる。
【００５８】
しかし、本処理によって伝送フレームを構成するためのパケットが不足するという問題を解決することができる。
【００５９】
また、多重化部３１４が伝送フレームを構成するためにバッファ部３１３−１〜ｎからパケットを読み出す間隔よりも短い間隔でパケットが入力された場合に、つまり、バッファ部３１３−１〜ｎに入力されたパケットに剰余が生じた場合に、多重化部３１４は、入力されたパケットにおけるヌルタイプのＴＬＶパケット（ＴＬＶ  Ｎｕｌｌ）のうち少なくとも一部のパケットを消去して、残りのパケットを含ませた伝送フレームを生成する。多重化部３１４は、バッファ部３１３−１〜ｎにヌルタイプのＴＬＶパケットが記憶されている場合に、当該ヌルタイプのＴＬＶパケットの長さを、当該余剰を解消する長さに変更するように構成されていてもよい。
【００６０】
なお、剰余のパケットの発生は、委託局２００のクロック信号提供装置２２０が提供したクロック信号の周波数が、受託局３００の基準クロック信号提供装置３３０が提供した基準クロック信号の周波数よりも高くなったときに生じうる。
【００６１】
換言すれば、伝送フレームを構成するためのパケットの不足は、委託局２００のクロック信号提供装置２２０が提供したクロック信号の周期が、受託局３００の基準クロック信号提供装置３３０が提供した基準クロック信号の周期よりも短くなったときに生じうる。
【００６２】
本処理によって、伝送フレームの生成時に剰余のパケットが生じるという問題を解決することができる。
【００６３】
すなわち、ステップＳ２０３の処理では、受信部３１１がフレームを受信したタイミングと、多重化部３１４が伝送フレームを生成するタイミングとの差異に基づいて、バッファ部３１３−１〜ｎに記憶されているＴＬＶパケットにおいて、ヌルタイプのＴＬＶパケットの追加もしくは消去、またはヌルタイプのＴＬＶパケットの長さの変更が行われる。
【００６４】
なお、多重化部３１４は、バッファ部３１３−１〜ｎにおいて、より多値数が少ないバッファに記憶されている、ＮＴＰパケットに応じたＴＬＶパケットを所定のスロットである１０１番目のスロットに格納されるように、伝送フレームを構成する。
【００６５】
送信部３１５は、ステップＳ２０３の処理で生成された伝送フレームを受信側信号処理装置３２０に送信する（ステップＳ２０４）。
【００６６】
図７は、受信側信号処理装置３２０の動作を示すフローチャートである。なお、受信側信号処理装置３２０は、基準クロック信号提供装置３３０が提供した基準クロック信号に基づくタイミングで、各処理を行う。
【００６７】
図７に示すように、受信部３２１は、同期処理装置３１０の送信部３１５が送信した伝送フレームを受信する（ステップＳ３０１）。
【００６８】
変調部３２２は、受信部３２１が受信した伝送フレームに基づいて、搬送波に所定の変調方式の変調処理を施し、変調処理後の信号である送信用信号を生成する（ステップＳ３０２）。
【００６９】
送信部３２３は、変調部３２２が生成した送信用信号を送信する（ステップＳ３０３）。
【００７０】
本実施形態によれば、送信側信号処理装置２１０と受信側信号処理装置３２０とが別個に生成されたクロック信号に基づいてそれぞれ動作し、互いのクロック信号の周期に差異が生じた場合であっても、同期処理装置３１０が、受信側信号処理装置３２０におけるクロック信号である基準クロック信号に基づいて、送信側信号処理装置２１０から受信したフレームに応じた伝送フレームを生成する。
【００７１】
したがって、送信側信号処理装置２１０のクロック信号の周期と受信側信号処理装置３２０の基準クロック信号の周期との間に差異が生じた場合であっても、受託局において送信すべき信号が一部消失等したりすることを防ぐことができる。よって、受託局において送信すべき信号が一部消失等したりしたことによって、当該信号に基づく映像や音声が乱れうるという問題の発生を防ぐことができる。
【００７２】
実施形態２．
次に、第２の実施形態の同期処理装置３１について、図面を参照して説明する。図８は、第２の実施形態の同期処理装置３１の構成例を示すブロック図である。
【００７３】
図８に示すように、第２の実施形態の同期処理装置３１は、受信部１１、記憶部１３、および伝送フレーム生成部１４を含む。
【００７４】
同期処理装置３１は、例えば、図１および図３に示す第１の実施形態における同期処理装置３１０に相当する。受信部１１は、例えば、図３に示す第１の実施形態における受信部３１１に相当する。記憶部１３は、例えば、図３に示す第１の実施形態におけるバッファ部３１３−１〜ｎに相当する。伝送フレーム生成部１４は、例えば、図３に示す第１の実施形態における多重化部３１４に相当する。
【００７５】
受信部１１は、送信されたフレームを受信する。
【００７６】
記憶部１３には、受信部１１が受信したフレームに含まれているパケットが記憶される。
【００７７】
伝送フレーム生成部１４は、基準となるクロック信号である基準クロック信号に基づくタイミングで、記憶部１３に記憶されているパケットに基づく伝送フレームを生成する。
【００７８】
伝送フレーム生成部１４が生成した伝送フレームには変調手段によって変調処理が施される。なお、変調手段は、例えば、図４に示す第１の実施形態における受信側信号処理装置３２０の変調部３２２に相当する。
【００７９】
基準クロック信号は、受信部１１が受信したフレームの送信元で行われた生成処理および送信処理におけるクロック信号とは別個に生成された信号であって、伝送フレーム生成部１４が生成した伝送フレームに施される変調処理におけるクロック信号と同期した信号である。
【００８０】
なお、受信部１１が受信したフレームの送信元は、例えば、第１の実施形態における送信側信号処理装置２１０に相当する。そして、受信部１１が受信したフレームに行われた生成処理および送信処理は、例えば、図５に示すステップＳ１０３の処理に相当する。
【００８１】
伝送フレーム生成部１４は、受信部１１がフレームを受信したタイミングと伝送フレームを生成するタイミングとの差異に基づいて、記憶部１３に記憶されているパケットにおいて、ヌルタイプのＴＬＶパケットの追加または消去を行い、伝送フレームを生成する。
【００８２】
本実施形態によれば、フレームの送信元と変調手段とが別個に生成されたクロック信号に基づいてそれぞれ動作し、互いのクロック信号の周期に差異が生じた場合であっても、同期処理装置３１が、変調手段のクロック信号に同期したクロック信号である基準クロック信号に基づいて、受信したフレームに応じた伝送フレームを生成する。
【００８３】
したがって、フレームの送信元のクロック信号の周期と基準クロック信号の周期との間に差異が生じた場合であっても、送信すべき、フレームに基づく信号が一部消失等したりすることを防ぐことができる。よって、送信すべき、フレームに基づく信号が一部消失等したりしたことによって、当該信号に基づく映像や音声が乱れうるという問題の発生を防ぐことができる。
【符号の説明】
【００８４】
１００    信号処理システム
２００    委託局
２１０    送信側信号処理装置
２１１    ＭＭＴ多重部
２１２    ＴＬＶ多重部
２２０    クロック信号提供装置
３００    受託局
３１０    同期処理装置
３１１、３２１    受信部
３１２    分配部
３１３−１〜３１３−ｎ    バッファ部
３１４    多重化部
３１５、３２３    送信部
３２０    受信側信号処理装置
３２２    変調部
３３０    クロック信号提供装置
３４０    送信設備
【図１】
2018137625.tif 000003
【図２】
2018137625.tif 000004
【図３】
2018137625.tif 000005
【図４】
2018137625.tif 000006
【図５】
2018137625.tif 000007
【図６】
2018137625.tif 000008
【図７】
2018137625.tif 000009
【図８】
2018137625.tif 000010